(57)【要約】【課題】導光部材を容易に位置決めでき、組み付け作業の作業性を向上させることができる操作装置を提供する。【解決手段】操作装置１は、機器１００を操作するために機器１００に備えられる。操作装置１は、操作キー３１と、第１基板３と、光源４２と、導光部材５とを備える。操作キー３１は、機器１００の操作内容を示す操作信号を生成するために押下される。第１基板３は、操作キー３１を押下可能に保持する。光源４２は、光を出射する。導光部材５は、光を外部に導く。第１基板３は、導光部材５を位置決めする開口部３３を有する。【選択図】図１
2019010798.tif 000002
【特許請求の範囲】
【請求項１】
機器を操作するために前記機器に備えられる操作装置であって、
前記機器の操作内容を示す操作信号を生成するために押下される操作キーと、
前記操作キーを押下可能に保持する第１基板と、
光を出射する光源と、
前記光を外部に導く導光部材と
を備え、
前記第１基板は、前記導光部材を位置決めする開口部を有する、操作装置。
【請求項２】
前記開口部は、開口を形成する筒状の壁面部と、前記壁面部に形成された被係合部とを有し、
前記導光部材は、前記被係合部に係合する係合部を有する、請求項１に記載の操作装置。
【請求項３】
前記被係合部は、前記壁面部に溝状に形成され、
前記係合部は、突状に形成される、請求項２に記載の操作装置。
【請求項４】
前記操作キー、前記第１基板及び前記導光部材を収容するハウジングを更に備え、
前記第１基板は、前記ハウジングに位置決めされる、請求項１から請求項３のいずれか１項に記載の操作装置。
【請求項５】
前記導光部材は、前記開口に封入され、
前記導光部材の一方側の端面は、前記ハウジングの外表面から露出する、請求項４に記載の操作装置。
【請求項６】
前記第１基板は、前記開口部に並設された遮光部を更に有し、
前記遮光部は、前記導光部材を介して前記ハウジングの内部に出射される前記光を遮光する、請求項４又は請求項５に記載の操作装置。
【請求項７】
前記操作キーが押下された際に当接して前記操作信号を送信する第２基板を更に備え、
前記光源は、前記第２基板に配置され、
前記導光部材は、前記第１基板と前記ハウジングとの間で保持される、請求項４から請求項６のいずれか１項に記載の操作装置。
【請求項８】
前記操作キーが押下された際に当接して前記操作信号を送信する第２基板を更に備え、
前記光源は、前記第２基板に配置され、
前記導光部材は、前記第１基板と前記第２基板との間で保持される、請求項１から請求項６のいずれか１項に記載の操作装置。
【請求項９】
請求項１から請求項８のいずれか１項に記載の操作装置と、
記録媒体に画像を形成する画像形成部と、
前記操作信号に対応するように、前記画像形成部を制御する制御部と
を備える、画像形成装置。
【発明の詳細な説明】
【技術分野】
【０００１】
本発明は、操作装置、及び画像形成装置に関する。
【背景技術】
【０００２】
特許文献１に記載の画像形成装置は、ハウジングと、光源と、導光体とを備える。ハウジングは、光源及び導光体を内部に収容する。光源は、光を発する。導光体は、基端部と、先端部と、本体部と、係止部とを有する。導光体は、基端部から入射する光を先端部に導いて、ハウジングの外部に光を放散する。本体部は、基端部と先端部とを繋ぐ。係止部は、本体部に形成される。特許文献１に記載の画像形成装置では、導光体をハウジングに組み付ける際に、係止部がハウジングに係止されて、導光体がハウジングに位置決めされる。
【先行技術文献】
【特許文献】
【０００３】
【特許文献１】特開２０１３−２１４０１７号公報
【発明の概要】
【発明が解決しようとする課題】
【０００４】
特許文献１に記載の画像形成装置では、ハウジングの一部に密集するように、導光部材（導光体）及び他の部材がハウジングに位置決めされる。他の部材は、例えば、操作キーを保持する第１基板である。したがって、例えば、導光部材をハウジングに位置決めする際に、導光部材が第１基板に接触して組み付け作業の作業性が低下するおそれがある。この結果、ハウジングに導光部材を位置決めすることについては改善の余地がある。
【０００５】
本発明は上記課題に鑑みてなされたものであり、その目的は、導光部材を容易に位置決めでき、組み付け作業の作業性を向上させることができる操作装置、及び画像形成装置を提供することにある。
【課題を解決するための手段】
【０００６】
本発明の操作装置は、機器を操作するために前記機器に備えられる。前記操作装置は、操作キーと、第１基板と、光源と、導光部材とを備える。前記操作キーは、前記機器の操作内容を示す操作信号を生成するために押下する。前記第１基板は、前記操作キーを押下可能に保持する。前記光源は、光を出射する。前記導光部材は、前記光を外部に導く。前記第１基板は、前記導光部材を位置決めする開口部を有する。
【０００７】
本発明の画像形成装置は、上記操作装置と、画像形成部と、制御部とを備える。前記画像形成部は、記録媒体に画像を形成する。前記制御部は、前記操作信号に対応するように、前記画像形成部を制御する。
【発明の効果】
【０００８】
本発明の操作装置、及び画像形成装置によれば、導光部材を容易に位置決めでき、組み付け作業の作業性を向上させることができる。
【図面の簡単な説明】
【０００９】
【図１】本発明の実施形態に係る操作装置を示す図である。
【図２】本発明の実施形態に係る第１基板と導光部材とを示す斜視図である。
【図３】本発明の実施形態に係る第１基板と導光部材とを示す底面図である。
【図４】本発明の実施形態に係る導光部材を示す斜視図である。
【図５】本発明の実施形態に係るハウジングに位置決めされた導光部材を示す断面図である。
【図６】本発明の実施形態に係る機器の構成を示す図である。
【発明を実施するための形態】
【００１０】
以下、図面を参照して本発明の実施形態を説明する。ただし、本発明は以下の実施形態に限定されない。なお、図中、同一又は相当部分については、同一の参照符号を付して説明を繰り返さない。
【００１１】
図１を参照して、本発明の実施形態に係る操作装置１について説明する。図１は、本実施形態に係る操作装置１を示す図である。詳しくは、各部に分解された操作装置１を示す図である。
【００１２】
図１に示すように、操作装置１は、機器１００に備えられる。本実施形態において、機器１００は、例えば、画像形成装置である。画像形成装置は、例えば、コピー機能、プリンター機能、及びファクシミリ機能のうち少なくとも２つの機能を有する。
【００１３】
操作装置１は、機器１００を操作する操作者の操作を受け付ける。操作装置１は、操作部１０と、表示部１１とを備える。操作部１０は、機器１００の操作内容を示す操作信号を生成する。操作信号は、操作者の操作に対応する。操作者の操作は、例えば、機器１００の各種設定を含む。
【００１４】
表示部１１は、各種の画面を表示する。表示部１１は、例えば、液晶ディスプレーを含む。また、表示部１１は、タッチパネル機能を有する場合に、操作部１０としても機能する。
【００１５】
操作装置１は、第１基板３と、複数の操作キー３１と、第２基板４と、複数の光源４２と、複数の導光部材５と、ハウジング７とを更に備える。
【００１６】
複数の操作キー３１は、押しボタン式の操作キーである。操作キー３１は、操作信号を生成するために操作者によって押下される。操作キー３１は、例えば樹脂製のハードキーである。なお、複数の操作キー３１は、例えば、接触式の操作キーであってもよい。
【００１７】
複数の操作キー３１は、例えば、テンキーと、操作キーと、決定キーと、実行キーとを含む。テンキーは、例えば、数値を入力する際に押下される。操作キーは、例えば、表示部１１に表示されるカーソルを移動する際に押下される。決定キーは、例えば、カーソルが指し示す操作内容を決定する際に押下される。実行キーは、例えば、機器１００に動作を実行させる際に押下される。
【００１８】
光源４２は、光を出射する。光源４２は、例えば、ＬＥＤ（Ｌｉｇｈｔ  Ｅｍｉｔｔｉｎｇ  Ｄｉｏｄｅ）である。複数の光源４２は、例えば、機器１００の状態に応じて光を出射する。機器１００の状態は、例えば、通常状態と、省電状態と、エラー状態とを含む。
【００１９】
通常状態は、機器１００が操作に対応するように動作可能な状態である。機器１００が通常状態の場合には、例えば、複数の光源４２のうち一端側に位置する光源４２が光を出射する。省電状態は、機器１００の一部に供給される電力が減少し、機器１００による電力消費が抑制された状態である。機器１００が省電状態の場合には、例えば、複数の光源４２のうち他端側に位置する光源４２が光を出射する。エラー状態は、機器１００にエラーが生じ、機器１００が動作不可能な状態である。機器１００がエラー状態の場合には、例えば、複数の光源４２のうち中央に位置する光源４２が光を出射する。
【００２０】
導光部材５は、透光性を有する。導光部材５は、例えば、樹脂製である。導光部材５は、一方側の端面が閉じられた長尺な筒状に形成される。導光部材５は、光源４２を内部に収容する。光源４２は、導光部材５の他方の端部から導光部材５の内部に挿し込まれる。導光部材５は、光源４２が出射した光をハウジング７の外部に導く。操作者は、導光部材５を介して一方側の端面に導かれた光を確認し、機器１００の状態を確認することができる。
【００２１】
ハウジング７は、操作キー３１と、第１基板３と、第２基板４と、光源４２と、導光部材５とを内部に収容する。ハウジング７は、ハウジング本体７０と、第１開口７１と、第２開口７２と、第３開口７３とを有する。ハウジング本体７０は、箱状に形成される。ハウジング本体７０には、第１開口７１と、第２開口７２と、第３開口７３とが形成される。
【００２２】
第１基板３は、各操作キー３１を押下可能に保持する。第１基板３は、第１基板本体３０と、複数の開口部３３とを有する。第１基板本体３０は、矩形の枠状に形成される。第１基板本体３０は、第２開口７２に対応するように、各操作キー３１を位置決めする。この結果、第１基板３がハウジング７に組み付けられた際に、操作キー３１の頂部が第２開口７２を介してハウジング７の外部に突出する。
【００２３】
複数の開口部３３は、第１基板本体３０の一方側の端部に密集するように形成される。開口部３３は、第３開口７３に対応するように、導光部材５を位置決めする。この結果、第１基板３がハウジング７に組み付けられた際に、導光部材５が第３開口７３を介して目視可能となる。
【００２４】
第２基板４は、第２基板本体４０と、複数のスイッチ４１とを有する。第２基板本体４０は、矩形の板状に形成される。第２基板本体４０は、操作キー３１の各々に対応するように各スイッチ４１を保持する。操作キー３１が押下された際に、スイッチ４１が操作キー３１と接触して操作信号が生成される。
【００２５】
また、第２基板本体４０は、表示部１１の液晶ディスプレーを保持する。第２基板本体４０は、表示部１１の液晶ディスプレーの表示面が第１開口７１に対応するように、液晶ディスプレーを位置決めする。この結果、第２基板４がハウジング７に組み付けられた際に、液晶ディスプレーの表示面が第１開口７１を介して目視可能となる。
【００２６】
本実施形態の操作装置１は、ハウジング７に対して第１基板３及び第２基板４を組み付けて構成される。詳しくは、まず、導光部材５を矢印Ｒ１に沿って第１基板３に組み付ける。この結果、導光部材５が第１基板３に位置決めされる。次に、第１基板３を矢印Ｒ２に沿ってハウジング７に組み付ける。第１基板３は、例えば、第１基板本体３０の枠がハウジング７に形成されたスリットに挿し込まれることによって、ハウジング７に位置決めされる。
【００２７】
本実施形態の操作装置１では、導光部材５が第１基板３に位置決めされた後に、第１基板３がハウジング７に組み付けられる。したがって、導光部材５をハウジング７に位置決めすることなく、導光部材５をハウジング７に容易に位置決めすることができる。この結果、本実施形態の操作装置１では、導光部材５をハウジング７に組み付ける組み付け作業の作業性を向上させることができる。
【００２８】
また、第１基板３をハウジング７に組み付けた後に、第２基板４を矢印Ｒ３に沿ってハウジング７に組み付ける。第２基板４は、例えば、ネジのような係止部によって、ハウジング７に固定される。この結果、導光部材５は、導光部材５の端面とハウジング７の外表面とが面一となるように、第１基板３と第２基板４との間で保持される。なお、係止部は、例えば、ハウジング７に形成された鉤状部を有してもよい。第２基板４がハウジング７に組み付けられる際に、ハウジング７の鉤状部は、第２基板本体４０の縁部を係止する。
【００２９】
次に、図１から図３を参照して、第１基板３について更に説明する。図２は、第１基板３と導光部材５とを示す斜視図である。詳しくは、図２に示す第１基板３は、第１基板本体３０の一部が切り欠かれている。また、複数の導光部材５のうち１つの導光部材５は、第１基板３から分離している。
【００３０】
図２に示すように、第１基板３は、第１基板本体３０と、開口部３３とに加えて、複数の弾性部３２と、複数の遮光部３４とを更に有する。
【００３１】
弾性部３２は、第１基板本体３０の底面部を切り欠いたようにアーム状に形成される。この結果、弾性部３２は、弾性を有する。各弾性部３２は、対応する操作キー３１を下方から支持する。したがって、第１基板３は、操作キー３１を押下可能に保持する。
【００３２】
遮光部３４は、開口部３３に並設される。詳しくは、遮光部３４は、隣り合う開口部３３の間に形成される。遮光部３４は、例えば、板状に形成される。遮光部３４は、遮光性を有する。この結果、遮光部３４は、導光部材５を介してハウジング７の内部に出射される光を、遮光する。したがって、遮光部３４は、ハウジング７の内部において、導光部材５が導く光が他の導光部材５に入射することを防止でき、ひいては、操作者が機器１００の状態を誤認することを防止できる。なお、好ましくは、遮光部３４は、第１基板３の底面とハウジング７とに当接する。また、遮光部３４は、例えば、導光部材５の側部を覆うように筒状に形成されてもよい。
【００３３】
図３は、第１基板３と導光部材５とを示す底面図である。図３に示すように、開口部３３は、開口３３ａと、壁面部３３ｂと、被係合部３３ｃとを有する。壁面部３３ｂは、内部に開口３３ａを形成するように筒状に形成される。本実施形態において、壁面部３３ｂは、円筒状に形成される。開口３３ａは、第１基板本体３０を貫通する。開口３３ａには、導光部材５が挿入される。なお、開口３３ａには、導光部材５が圧入されてもよい。
【００３４】
被係合部３３ｃは、壁面部３３ｂに形成される。被係合部３３ｃは、溝状に形成される。詳しくは、被係合部３３ｃは、壁面部３３ｂの一方側の端面（底面）から壁面部３３ｂの他方側の端部に向かって延びる。
【００３５】
次に、図３及び図４を参照して導光部材５について更に説明する。図４は、導光部材５を示す斜視図である。図３及び図４に示すように、導光部材５は、本体部５１と、係合部５２とを有する。
【００３６】
本体部５１は、一方側の端面が閉じられた長尺な筒状に形成される。本実施形態において、本体部５１は、円筒状に形成される。係合部５２は、本体部５１の側面部に形成される。係合部５２は、被係合部３３ｃに挿し込まれる突状に形成される。係合部５２は、本体部５１の他方側の端面（底面）から本体部５１の中央部まで延びる。
【００３７】
次に、図５を参照して、第１基板３を介してハウジング７に組み付けられた導光部材５について説明する。図５は、ハウジング７に位置決めされた導光部材５を示す断面図である。詳しくは、ハウジング７には、第１基板３及び第２基板４が組み付けられている。
【００３８】
図５に示すように、導光部材５が第１基板３に組み付けられる際に、導光部材５の係合部５２は、開口部３３の被係合部３３ｃに挿し込まれる。この結果、導光部材５が開口３３ａ内で回転することが防止される。
【００３９】
また、導光部材５が開口３３ａに封入された際に、係合部５２は、被係合部３３ｃに係合する。係合部５２が被係合部３３ｃに係合した際に、導光部材５は、一方側の端面がハウジング７の外表面に略面一となるように位置決めされる。したがって、例えば、操作者の手が導光部材５に引っ掛かって、導光部材５が損傷することを防止できる。
【００４０】
次に、図６を参照して、機器１００について更に説明する。図６は、機器１００の構成を示す図である。図６に示すように、機器１００は、画像形成装置である。画像形成装置は、シートＳに画像を形成し得る。
【００４１】
シートＳは、本発明の記録媒体の一例である。シートＳは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００４２】
機器１００は、筐体１２０と、給紙部１３０と、画像形成部１４０と、定着部１５０と、排出トレイ１６０と、制御部１７０と、操作装置１とを備える。筐体１２０は、給紙部１３０と、画像形成部１４０と、定着部１５０と、制御部１７０とを内部に収容する。
【００４３】
操作装置１は、筐体１２０の上面部に配置される。操作装置１は、操作信号を制御部１７０に出力する。また、操作装置１は、各種の画面を表示するように、制御部１７０によって制御される。
【００４４】
給紙部１３０は、少なくとも１枚のシートＳを保持し得る。給紙部１３０は、画像形成部１４０に向かってシートＳを供給し得る。画像形成部１４０は、搬送経路に沿って搬送されるシートＳにトナー画像を形成し得る。画像形成部１４０は、像担持体と、帯電部と、露光部と、現像部と、転写部とを有する。定着部１５０は、トナー画像をシートＳに定着させ得る。トナー画像が定着されたシートＳは、排出トレイ１６０に排出される。
【００４５】
制御部１７０は、機器１００の各部を制御する。制御部１７０は、例えば、プロセッサーと、記憶部とを含む。プロセッサーは、例えば、ＣＰＵ（Ｃｅｎｔｒａｌ  Ｐｒｏｃｅｓｓｉｎｇ  Ｕｎｉｔ）である。記憶部は、例えば、半導体メモリー及びＨＤＤ（Ｈａｒｄ  Ｄｉｓｋ  Ｄｒｉｖｅ）を含む。プロセッサーは、コンピュータープログラムに基づいて、給紙部１３０と、画像形成部１４０と、定着部１５０と、操作装置１とを制御する。コンピュータープログラムは、記憶部に予め記憶される。
【００４６】
以上、図１から図６を参照して、本発明の実施形態に係る操作装置１、及び画像形成装置について説明した。但し、本発明は、上記の実施形態に限られるものではなく、その要旨を逸脱しない範囲で種々の態様において実施することが可能である。
【００４７】
例えば、本発明の実施形態では、導光部材５が第１基板３と第２基板４との間で保持されたが、本発明はこれに限定されない。導光部材５は、ハウジング７の内部で保持されればよい。導光部材５は、例えば、第１基板３とハウジング７との間で保持されてもよい。この場合に、開口部３３の被係合部３３ｃは、一方側の端面から他方側に向かって延びる。
【００４８】
また、本発明の実施形態では、導光部材５の係合部５２が突状に形成され、開口部３３の被係合部３３ｃが溝状に形成されたが本発明はこれに限定されない。導光部材５が開口３３ａに封入された際に、導光部材５は、開口部３３に係合すればよい。例えば、導光部材５が本体部５１の側部に形成された凹部を有し、開口部３３が壁面部３３ｂの内表面から内側に突出する突部を有してもよい。導光部材５が開口部３３に封入された際に、突部は、凹部に係合する。
【００４９】
また、本発明の実施形態では、複数の操作キー３１が第１基板本体３０によって保持されていたが、本発明はこれに限定されない。複数の操作キー３１は、第１基板３に位置決めされればよい。複数の操作キー３１は、例えば、第１基板本体３０と予め一体に形成されてもよい。
【００５０】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００５１】
本発明は、操作装置に関するものであり、ハウジングに各部を組み付ける組み付け作業を容易にするために有用である。
【符号の説明】
【００５２】
１        操作装置
３        第１基板
５        導光部材
３１      操作キー
３３      開口部
４２      光源
【図１】
2019010798.tif 000003
【図２】
2019010798.tif 000004
【図３】
2019010798.tif 000005
【図４】
2019010798.tif 000006
【図５】
2019010798.tif 000007
【図６】
2019010798.tif 000008